(57)【要約】  【構成】    携帯端末１２によって所望の番組を録画するとき、受信状態が悪いため番組の一部を録画できない場合がある。このとき、携帯端末１２は、録画できなかった番組部分を特定し、特定された番組部分の送信を録画サーバ１６ａに要求する。そして、携帯端末１２は、録画サーバ１６ａから送信された番組データを受信すると、受信された番組データによって、携帯端末１２に保存されている録画データを補修する。  【効果】    携帯端末に録画できなかった番組データだけが録画サーバから送信されるので、補修に必要な番組データの受信時間を短縮し、課金される料金も安く抑えることによって、録画データを効率的に補修することができる。【選択図】  図１
2006352264.tif 000002
【特許請求の範囲】
【請求項１】
放送システムから所望コンテンツを受信するコンテンツ受信機能と移動通信システムとの間で通信を行う移動通信機能とを有する携帯端末において、
前記コンテンツ受信機能によって受信された前記所望コンテンツを記録媒体に記録するコンテンツ記録手段、
前記所望コンテンツを受信できなかったとき受信できなかったコンテンツ部分を特定サーバに要求する要求手段、
前記特定サーバから送信された前記コンテンツ部分を受信する受信手段、および
前記受信手段によって受信された前記コンテンツ部分によって前記記録媒体に記録された前記所望コンテンツを補修するコンテンツ補修手段を備えた、携帯端末。
【請求項２】
前記時刻情報を検出する時刻情報検出手段、および
前記所望コンテンツの受信状態を判定する判定手段をさらに備え、
前記要求手段は、前記時刻検出手段によって検出された時刻情報と前記所望コンテンツのチャネル情報とから記録中断情報を作成する情報作成手段および前記情報作成手段によって作成された前記記録中断情報を要求する情報要求手段を含む、請求項１記載の携帯端末。
【請求項３】
前記判定手段は受信状態が悪くなったと判定されたとき前記所望コンテンツの記録を中断する記録中断手段を含み、
前記記録中断によって記録が中断されたときの時刻情報を記録する第１時刻記録手段をさらに備える、請求項２記載の携帯端末。
【請求項４】
前記判定手段は、受信状態が良くなったと判定されたとき前記所望コンテンツの記録を再開する記録再開手段を含み、
前記記録再開手段によって記録が再開されたときの時刻情報を記録する第２時刻記録手段をさらに備える、請求項２または３記載の携帯端末。
【請求項５】
前記録画中断情報は記録が中断されたときの時刻情報および記録が再開されたときの時刻情報を含む、請求項３または４のいずれかに記載の携帯端末。
【請求項６】
前記放送システムは前記所望コンテンツをデジタル信号によって送信するデジタル放送システムであり、
前記判定手段はデジタル信号の受信の有無によって判定するデジタル信号判定手段を含み、
前記時刻検出手段は前記所望コンテンツから時刻情報を検出するコンテンツ時刻情報検出手段を含む、請求項２ないし５のいずれかに記載の携帯端末。
【請求項７】
前記放送システムは前記所望コンテンツをアナログ信号によって送信するアナログ放送システムであり、
前記判定手段は前記アナログ信号に含まれる水平同期信号のずれの大きさによって判定するアナログ信号判定手段を含む、請求項２ないし５のいずれかに記載の携帯端末。
【請求項８】
前記コンテンツ補修手段によって補修されたコンテンツ情報を再生する再生手段をさらに備えた、請求項１ないし７のいずれかに記載の携帯端末。
【発明の詳細な説明】
【技術分野】
【０００１】
この発明は、携帯端末に関し、放送システムから所望コンテンツを受信するコンテンツ受信機能と移動通信システムとの間で通信を行う移動通信機能とを有する、携帯端末に関する。
【背景技術】
【０００２】
最近の携帯端末は、放送局から送信されるテレビ番組などの番組データを直接受信することができるので、ユーザは、所望の番組を携帯端末に録画しておき、後から再生して視聴することができる。しかし、ユーザが番組データを受信できない場所に移動すると、携帯端末は番組の録画を中断してしまう。この録画できなかった部分は、携帯端末によって後から視聴することができないという問題がある。
【０００３】
そこで、この問題を解決するため、特許文献１に開示された技術を用いることにより、携帯端末は、放送終了後に録画できなかった部分を含む全録画データを取得することができる。すなわち、携帯端末は、インターネット網を介して、所望の番組の録画予約情報をあらかじめ録画サーバに送信しておくと、録画サーバは、録画予約情報に基づいて番組を録画する。録画終了後、携帯端末が録画サーバに録画データを要求すると、録画サーバは要求された番組の全録画データを携帯端末に送信する。このようにして、ユーザは、録画サーバから取得した録画データを携帯端末で再生することによって、録画できなかった部分を含む番組全体を視聴することができる。
【特許文献１】特開２００２−１８５９００号公報［Ｈ０４Ｎ  ５／７６５、Ｈ０４Ｈ  １／０２、Ｈ０４Ｎ  ７／１７３］
【発明の開示】
【発明が解決しようとする課題】
【０００４】
しかし、従来技術では、携帯端末が録画サーバに録画データを要求すると、録画サーバは、要求された番組の全録画データを携帯端末に送信するので、番組の全録画データの受信に長時間を要し、課金される料金も高くなる。このため、携帯端末は、録画データを効率的に補修することができなくなるという問題がある。
【０００５】
それゆえに、この発明の主たる目的は、録画データを効率的に補修することができる、携帯端末を提供することである。
【課題を解決するための手段】
【０００６】
請求項１の発明は、放送システム（２０、１２０）から所望コンテンツを受信するコンテンツ受信機能（３０、１３０）と移動通信システム（１６、１１６）との間で通信を行う移動通信機能（３２、１３２）とを有する携帯端末において、コンテンツ受信機能によって受信された所望コンテンツを記録媒体（４２）に記録するコンテンツ記録手段（７８、Ｓ９）、所望コンテンツを受信できなかったとき受信できなかったコンテンツ部分を特定サーバ（１６ａ、１１６ａ）に要求する要求手段（３２、７８、１３２、Ｓ４１）、特定サーバから送信されたコンテンツ部分を受信する受信手段（３２、７８、１３２、Ｓ４３）、および受信手段によって受信されたコンテンツ部分によって記録媒体に記録された所望コンテンツを補修するコンテンツ補修手段（７８、Ｓ４５）を備えた、携帯端末である。
【０００７】
請求項１の発明では、携帯端末は、放送システムから所望コンテンツを受信するコンテンツ受信機能と、移動通信システムとの間で通信を行う移動通信機能とを有する。コンテンツ記録手段は、コンテンツ受信機能によって受信された所望コンテンツを記録媒体に記録する。所望コンテンツを受信できなかったとき、要求手段は、特定サーバに対して、受信できなかったコンテンツ部分を要求する。
【０００８】
次に、要求手段の要求に応答して特定サーバから送信されたコンテンツ部分を、受信手段によって受信する。コンテンツ補修手段は、記録媒体に記録された所望コンテンツを、受信されたコンテンツ部分によって補修する。
【０００９】
このように、記録媒体に記録された所望コンテンツのうち、受信できなかったために記録されなかったコンテンツ部分だけが特定サーバから送信される。このため、補修に必要なコンテンツ部分の受信時間を短縮し、課金される料金も安く抑えることができるので、記録媒体に記録されたコンテンツを効率的に補修することができる。
【００１０】
請求項２の発明は、請求項１記載の携帯端末において、時刻情報を検出する時刻情報検出手段（３８、７８、８０、Ｓ１９、Ｓ２３、Ｓ７９、Ｓ８３）、および所望コンテンツの受信状態を判定する判定手段（７８、Ｓ１１〜Ｓ１５、Ｓ７１〜Ｓ７５）をさらに備え、要求手段は、時刻検出手段によって検出された時刻情報と所望コンテンツのチャネル情報とから記録中断情報を作成する情報作成手段（７８、Ｓ１９、Ｓ２３、Ｓ４１、Ｓ７９、Ｓ８３）および情報作成手段によって作成された記録中断情報を要求する情報要求手段（７８、Ｓ４１）を含む、携帯端末である。
【００１１】
請求項２の発明では、携帯端末はさらに、時刻情報検出手段によって時刻情報を検出し、判定手段によって所望コンテンツの受信状態を判定する。時刻検出手段によって検出された時刻情報と所望コンテンツのチャネル情報とに基づいて、情報作成手段により記録中断情報を作成する。そして、作成された記録中断情報を情報要求手段によって特定サーバに要求する。所望コンテンツの受信状態が悪いとき、そのチャネル情報と時刻情報とから記録中断情報を作成して特定サーバに要求し、特定サーバは要求されたコンテンツ部分のみを携帯端末に送信する。その結果、携帯端末は、所望コンテンツの受信時間を短縮し、課金される料金も安く抑えることができるので、記録媒体に記録されたコンテンツを効率的に補修することができる。
【００１２】
請求項３の発明は、請求項２記載の携帯端末において、判定手段は受信状態が悪くなったと判定されたとき所望コンテンツの記録を中断する記録中断手段（７８、Ｓ１７、Ｓ７７）を含み、記録中断手段によって記録が中断されたときの時刻情報を記録する第１時刻記録手段（７８、Ｓ１９、Ｓ７９）をさらに備える、携帯端末である。
【００１３】
請求項３の発明では、所望コンテンツの受信状態が悪くなったと判定手段によって判定されると、記録中断手段によって所望コンテンツの記録を中断する。そして、記録が中断されたときの時刻情報を、第１時刻記録手段によって記録する。この場合、所望コンテンツの記録が中断されたときに記録された時刻情報に基づいて、記録中断情報が作成される。このため、特定サーバに対して、受信できなかったコンテンツ部分のみを要求することができる。
【００１４】
請求項４の発明は、請求項２または３に記載の携帯端末において、判定手段は、受信状態が良くなったと判定されたとき所望コンテンツの記録を再開する記録再開手段（７８、Ｓ２１、Ｓ８１）を含み、記録再開手段によって記録が再開されたときの時刻情報を記録する第２時刻記録手段（７８、Ｓ２３、Ｓ８３）をさらに備える、携帯端末である。
【００１５】
請求項４の発明では、所望コンテンツの受信状態が良くなったと判定手段によって判定されると、記録再開手段によって所望コンテンツの記録を再開する。そして、記録が中断されたときの時刻情報を、第２時刻記録手段によって記録する。この場合、所望コンテンツの記録が再開されたときに記録された時刻情報に基づいて、記録中断情報が作成される。このため、特定サーバに対して、受信できなかったコンテンツ部分のみを要求することができる。
【００１６】
請求項５の発明は、請求項３または４に記載の携帯端末において、録画中断情報は記録が中断されたときの時刻情報および記録が再開されたときの時刻情報を含む、
携帯端末である。この場合、所望コンテンツの記録が中断されていた時間帯が明確になるので、所望コンテンツのうち、記録が中断されていた時間帯に対応するコンテンツ部分のみを特定サーバに要求することができる。
【００１７】
請求項６の発明は、請求項２ないし５のいずれかに記載の携帯端末において、放送システムは所望コンテンツをデジタル信号によって送信するデジタル放送システム（２０）であり、判定手段は受信されたデジタル信号の受信の有無によって判定するデジタル信号判定手段（３８、７８、Ｓ１１〜Ｓ１５）を含み、時刻検出手段は所望コンテンツから時刻情報を検出するコンテンツ時刻情報検出手段（３８、７８、Ｓ１９、Ｓ２３）を含む、携帯端末である。
【００１８】
請求項６の発明では、放送システムはデジタル信号によって所望コンテンツを送信する。デジタル信号判定手段によって、デジタル信号が受信されたか否かを判定する。また、第１コンテンツ時刻情報検出手段によって所望コンテンツから時刻情報を検出する。この場合、デジタル信号によって与えられる所望コンテンツの受信状態およびその時刻情報を容易に取得することができる。
【００１９】
請求項７の発明は、請求項２ないし５のいずれかに記載の携帯端末において、放送システムは所望コンテンツをアナログ信号によって送信するアナログ放送システム（１２０）であり、判定手段はアナログ信号に含まれる水平同期信号のずれの大きさによって判定するアナログ信号判定手段（７８、８０、Ｓ７１〜Ｓ７５）を含む、携帯端末である。
【００２０】
請求項７の発明では、放送システムはアナログ信号によって所望コンテンツを送信する。アナログ信号判定手段によって、受信されたアナログ信号に含まれる水平同期信号のずれの大きさによって受信状態を判定する。この場合、アナログ信号によって与えられる所望コンテンツの受信状態を容易に取得することができる。
【００２１】
請求項８の発明は、請求項１ないし７のいずれかに記載の携帯端末において、コンテンツ補修手段によって補修されたコンテンツ情報を再生する再生手段（７８、Ｓ５１）をさらに備えた、携帯端末である。この場合、補修された所望のコンテンツを再生して視聴することができる。
【発明の効果】
【００２２】
この発明によれば、所望コンテンツのうち補修に必要なコンテンツ部分だけを特定サーバに要求するので、携帯端末に記録されたコンテンツの補修を効率的に行うことができる。
【００２３】
この発明の上述の目的、その他の目的、特徴および利点は、図面を参照して行う以下の実施例の詳細な説明から一層明らかとなろう。
【発明を実施するための最良の形態】
【００２４】
図１を参照して、この発明の第１実施例の録画データ補修システム１０は、地上波デジタルテレビ放送（以下“デジタル放送”という）を受信できる携帯端末１２と、携帯電話サービスを提供する通信事業者（キャリア）１６内に設置された録画サーバ１６ａと、テレビ番組（以下“番組”という）をデジタル放送によって送信する放送局２０内に設置されたサーバ２０ａとを含む。放送局２０のサーバ２０ａは、遅くとも番組の終了時刻までに通信回線２２を介して番組データを録画サーバ１６ａに送信しておき、録画サーバ１６ａは送信された番組データを受信して保存しておく。
【００２５】
図２を参照して、携帯端末１２は、デジタル放送システムを用いて放送されたテレビ番組を受信する放送番組録画回路３０と、移動通信システムを用いて移動通信を行なう移動通信回路３２と、放送番組録画回路３０および移動通信回路３２を制御するＣＰＵ７８とを含む。
【００２６】
まず、携帯端末１２により所望の番組を録画する場合について説明する。ＣＰＵ７８は、放送番組録画回路３０を起動するとともに、チャネルの選択をチューナ３４に命令する。チューナ３４は、アンテナ１４によって受信されたデジタル放送の高周波信号から所望のチャネルの高周波信号を抽出し、かつ抽出された高周波信号にＭＰＥＧフォーマットに従う復調処理を施す。これによって、所望のチャネルの番組データは、ＴＳ（Transport Stream）形式でチューナ３４から出力される。出力された番組データは、バッファメモリ３６を介してデマルチプレクサ３８に与えられる。
【００２７】
デマルチプレクサ３８は、与えられた番組データから映像パケットおよび音声パケットを抽出し、抽出された映像パケットおよび音声パケットをメモリカードコントローラ４０に与える。メモリカードコントローラ４０は、与えられた映像パケットおよび音声パケットを録画データとしてメモリカード４２に保存する。このようにして、携帯端末１２は番組を録画する。
【００２８】
なお、デジタル放送が受信されているとき、デマルチプレクサ３８は、番組データから映像パケットを抽出することができるので、エラー信号“無し”を出力する。一方、デジタル放送が受信されなくなると、デマルチプレクサ３８は、番組データを与えられなくなるので、映像パケットを抽出することができなくなる。このため、デマルチプレクサは、エラー信号“有り”を出力する。
【００２９】
したがって、前回受信された映像データのエラー信号“無し”から、今回受信された映像データのエラー信号“有り”に変化した場合、デジタル放送の受信状態が良い状態から悪い状態になったことを示しているので、録画を中断する。また、前回受信された映像データのエラー信号“有り”から、今回受信された映像データのエラー信号“無し”に変化した場合、デジタル放送の受信状態が悪い状態から良い状態になったことを示しているので、中断されていた録画を再開する。
【００３０】
前回受信された映像データのエラー信号と、今回受信された映像データのエラー信号が同じ場合、デジタル放送の受信状態は変化していない。このため、録画していた場合は録画を継続し、録画を中断していた場合は録画の中断を継続する。
【００３１】
また、デマルチプレクサ３８は、番組データに含まれる時刻情報（TOT: Time Offset Table）も同時に取得する。このため、映像パケットを抽出していた時間、すなわち番組を録画していた時間を特定できる。このことから、逆に、番組を録画できなかった時間を特定することができる。
【００３２】
なお、録画予約情報は、操作パネル８２を操作してＥＰＧ情報から取得され、取得された属性情報はメモリ８４に書き込まれる。この属性情報には、番組の放送開始時刻／終了時刻およびチャネル番号が含まれる。
【００３３】
次に、メモリカード４２に保存された番組を再生する場合について説明する。メモリカードコントローラ４０は、メモリカード４２から映像パケットおよび音声パケットを読み出し、読み出された映像パケットおよび音声パケットをＡＶセレクタ４４に与える。ＡＶセレクタ４４は、与えられた映像パケットおよび音声パケットをＨ．２６４ビデオデコーダ５４およびＡＡＣオーディオデコーダ４６にそれぞれ与える。
【００３４】
Ｈ．２６４ビデオデコーダ５４は、与えられた映像パケットをデコードして映像データを作成し、生成された映像データをＬＣＤコントローラ５６に与える。ＬＣＤコントローラ５６は、与えられた番組データをＬＣＤモニタ６０に出力する。この結果、所望の番組の映像が、ＬＣＤモニタ６０に表示される。
【００３５】
ＡＡＣオーディオエンコーダ４６は、与えられた音声パケットをデコードして音声データを生成する。生成された音声データは、Ｄ／Ａ変換器４８によってアナログ信号である音声信号に変換され、変換された音声信号はスピーカ５２に与えられる。この結果、所望の番組の音声がスピーカ５２から出力される。
【００３６】
次に、この携帯端末１２で番組を直接視聴する場合について説明する。録画の場合と同様に、チューナ３４から出力される所望のチャネルの番組データから、デマルチプレクサ３８によって映像パケットおよび音声パケットを抽出し、抽出された映像パケットおよび音声パケットをＡＶセレクタ４４に与える。そして、再生の場合と同様に、映像パケットおよび音声パケットがＨ．２６４ビデオデコーダ５４およびＡＡＣオーディオデコーダ４６にそれぞれ与えられると、スピーカ５２およびＬＣＤモニタ６０から音声および映像がそれぞれ出力される。
【００３７】
次に、相手方と通話する場合について説明する。操作パネル８２によってダイヤル操作が行われると、ＣＰＵ７８は、無線回路６２に対して発呼処理を行なうことを命令する。この発呼処理によって相手方との接続が確立されると、通話可能状態になる。
【００３８】
また、無線回路６２がアンテナ７６を介して発呼信号を受信すると、無線回路６２はＣＰＵ７８に対して電話着信を通知する。ＣＰＵ７８は、電話着信が通知されると、呼び出し音信号の発生を放送番組録画回路３０に設けられたサウンドジェネレータ５０に命令するとともに、呼び出しメッセージをあらわすキャラクタ信号の発生を放送番組録画回路３０に設けられたキャラクタジェネレータ５８に命令する。これによって、呼び出し音がスピーカ５２から出力されるとともに、呼び出しメッセージがＬＣＤモニタ６０から出力される。呼び出し音および呼び出しメッセージの出力を受けて、操作パネル８４により着信操作が行われると、相手方との接続が確立されて通話可能状態となる。
【００３９】
通話可能状態になると、マイクロフォン７４からの音声信号がアンプ７２によって増幅され、さらにＡＤ／ＤＡ変換回路６６によってデジタル信号である音声データに変換される。変換された音声データは、信号処理回路６４によってパケットデータつまり音声パケットに符号化され、符号化された音声パケットは無線回路６２によって変調される。変調された音声パケットは、アンテナ７６を介して相手方に発信される。
【００４０】
一方、相手方から送信されたパケットは、アンテナ７６によって受信され、無線回路６２によって復調される。復調された音声パケットは信号処理回路６４によって音声データに復号され、復号された音声データはＡＤ／ＤＡ変換回路６６によってアナログ信号である音声信号に変換される。変換された音声信号は、アンプ６８を介してスピーカ７０から出力される。
【００４１】
次に、メールを送受信する場合について説明する。操作パネル８４によってメールが作成され、作成されたメールの発信操作が行われると、ＣＰＵ７８はあて先のメールボックスを管理するサイトへの接続を無線回路６２に命令するとともに、作成されたメールデータの符号化を信号処理回路６４に命令する。作成されたメールデータは、信号処理回路６４によってパケットデータつまりメールパケットに変換され、変換されたメールパケットは無線回路６２およびアンテナ７６を介して所望のサイトに送信される。
【００４２】
自分のメールボックスにメールパケットが存在すれば、このメールパケットはアンテナ７６を介して受信される。受信されたメールパケットは、無線回路６２によって復調された後、信号処理回路６４によって復号される。ＣＰＵ７８は、無線回路６２からのメール着信通知に応答して、信号処理回路６４によって復号されたメールデータをメモリ８４に保存し、メールデータの着信を表すキャラクタ信号の出力をキャラクタジェネレータ５８に命令する。この結果、メールの受信を示すアイコンがＬＣＤモニタ６０に表示される。
【００４３】
番組の録画中に携帯端末が移動したため、デジタル放送の受信状態が悪くなって番組の一部を受信できなくなった場合、ＣＰＵ７８は、番組の放送終了後に、メモリから録画の中断開始時刻および中断終了時刻を読み出して、録画中断情報を作成する。そして、ＣＰＵ７８は、作成された録画中断情報に基づいてメールパケットを作成し、作成されたメールパケットを録画サーバに送信する。その結果、録画サーバ１６ａから番組データの一部が映像パケットおよび音声パケットからパケットデータとして送信される。送信された番組データは、無線回路６２によって復調された後、メモリ８４に保存される。
【００４４】
また、ＣＰＵ７８は、メモリカードコントローラ４０に対して、メモリカード４２から録画データの読み出しを命令する。メモリカードコントローラ４０は、メモリカード４２から録画データを読み出し、読み出された録画データをメモリ８４に与える。そして、メモリ８４上で、録画データの空白領域に録画サーバ１６ａから送信された番組データを埋め込むことにより、録画データを補修する。補修された録画データは、メモリカードコントローラ４０によってメモリカード４２に保存される。
【００４５】
なお、メモリ８４には、上述の補修された録画データだけでなく、操作パネル８２が操作されることによってＥＰＧ情報から取得された属性情報および番組の録画が中断されたときの中断開始時刻／終了時刻およびチャネル番号が書き込まれている。
【００４６】
次に、図３を参照して、キャリア１６内に設置された録画サーバ１６ａは通信コネクタ９０を含む。通信コネクタ９０は、通信回線２２を介して放送局２０のサーバ２０ａに接続されている。このため、番組データは放送局２０のサーバ２０ａから通信回線２２を通して通信コネクタ９０に与えられる。通信コネクタ９０はＨＤＤ−Ｉ／Ｆ９４に接続されているので、放送局２０のサーバ２０ａから送信された番組データは、通信コネクタ９０を介してＨＤＤ−Ｉ／Ｆ９４に与えられる。番組データがＨＤＤ−Ｉ／Ｆ９４に与えられると、ＣＰＵ９２は、ＨＤＤ−Ｉ／Ｆ９４に番組データの記録命令を与える。ＨＤＤ−Ｉ／Ｆ９４は、記録命令に基づき、ＨＤＤ１００を介してハードディスク１０２に番組データを格納する。
【００４７】
録画サーバ１６ａは、携帯端末１２から送信された録画中断情報を含むメールをアンテナ１８を介して受信すると、受信されたメールを無線回路９８に与える。無線回路９８は、与えられたメールを復調して信号処理回路９６に与える。信号処理回路９６は、与えられたメールから録画中断情報を読み出す。ＣＰＵ９２は、信号処理回路９６によって読み出された録画中断情報に基づき、携帯端末１２が録画できなかった番組のチャネル番号、録画の中断開始時刻／終了時刻を特定する。ＨＤＤ−ＩＦ９４は、特定された番組データの抽出命令が与えられると、抽出命令に従って、ＨＤＤ１００を介してハードディスク１０２に格納された番組データの中から特定された番組データを抽出する。抽出された番組データは、映像パケットおよび音声パケットからなるパケットデータである。無線回路９８は、抽出されたパケットデータを変調し、変調されたパケットデータをメールに添付して携帯端末１２に送信する。
【００４８】
図４（Ａ）を参照して、メモリ８４に保存されている番組の録画データを示す。斜線が施された領域には録画データが記録されており、空白領域１〜３には録画データが記録されていないことを示している。この場合、３個の空白領域１〜３があるので、番組の録画中に、録画が３回中断されていることがわかる。
【００４９】
図４（Ｂ）を参照して、録画サーバ１６ａのハードディスク１０２には番組データが完全な形で格納されている。このため、携帯端末１２は、録画中断情報によって録画できなかった番組データの一部を特定し、特定された番組データの一部の送信を録画サーバ１６ａに要求する。録画サーバ１６ａは、ハードディスク１０２に格納されている番組データの中から、要求されている番組データを抽出し、抽出された番組データを携帯端末１２に送信する。携帯端末１２は、送信された番組データを受信すると、受信された番組データによって録画データの空白領域１〜３をそれぞれ埋め込んで録画データを補修する。
【００５０】
図４（Ｃ）を参照して、録画データの空白領域１〜３に録画サーバから送信された番組データがそれぞれ埋め込まれて、録画データが完全な形に補修されたことを示す。このため、ユーザは、補修された録画データを再生して番組を視聴することができる。
【００５１】
次に、図５（Ａ）〜図６（Ｃ）を参照して、録画データを補修するときのＬＣＤモニタ６０の表示について説明する。まず、図５（Ａ）に示すように、ユーザによって操作パネル８２が操作されると、メモリカード４２に保存されている録画データの番組名が表示される。表示された番組名の中から“番組３”が選択されると、図５（Ｂ）に示すように、“この番組には録画できなかった部分があります。補修しますか？”と表示される。“ＹＥＳ”キーが選択されると、図５（Ｃ）に示すように、“補修が必要な録画時間は１０分００秒です。５０円課金されますがよろしいですか？”と表示される。
【００５２】
“ＹＥＳ”キーが選択されると、図６（Ａ）に示すように、“しばらくお待ちください。ただ今補修中です。”と表示され、携帯端末１２は録画サーバ１６ａから必要な番組データを受信し、受信された番組データによって録画データを補修する。補修が完了すると、図６（Ｂ）に示すように、“補修が完了しました。番組３を再生しますか？”と表示される。“ＹＥＳ”キーが選択されると、図６（Ｃ）に示すように、“番組３”の再生が開始されて、その映像が表示される。そこで、ユーザは、“停止”キー、“静止”キー、“再生”キーのいずれかを操作しながら、補修された“番組３”を視聴することができる。
【００５３】
ＣＰＵ７８は、図７および図８に示すフローに従って番組の録画処理を実行する。ステップＳ１では、録画予約情報をＥＰＧ情報から取得するまで待機する。録画予約情報が取得されると、ステップＳ３で、時計８０から与えられる時刻情報を参照して、番組の放送開始時刻１０秒前になるまで待機する。放送開始時刻１０秒前になると、ステップＳ５で、チューナ３４の電源をオンにする。そして、ステップＳ７では、録画予約した番組の放送開始時刻になるまで待機し、放送開始時刻になると、ステップＳ９で、番組の録画を開始する。すなわち、番組の録画データをメモリカード４２に記録する。
【００５４】
ステップＳ１１では、デマルチプレクサ３８から出力されるエラー信号を検出する。すなわち、デマルチプレクサ３８から、パケットデータを抽出できたときエラー信号“無し”が出力され、パケットデータを抽出できなかったときエラー信号“有り”が出力されるので、いずれのエラー信号が出力されたかを検出する。
【００５５】
ステップＳ１３では、検出されたエラー信号を前回検出されたエラー信号と比較して、エラー信号が変化したか否かを判断する。その結果、ＮＯの場合は後述するステップＳ２５に進み、ＹＥＳの場合はステップＳ１５に進む。
【００５６】
ステップＳ１５では、エラー信号が“無し”から“有り”に変化したか否かを判断する。その結果、ＹＥＳの場合は、デジタル放送を受信できなくなったので、ステップＳ１７で、番組の録画を中断する。ステップＳ１９では、デマルチプレクサ３８によって映像パケットから録画の中断開始時刻を取り込み、取り込まれた中断開始時刻およびその番組のチャネル番号（エラー開始情報）をメモリ８４に書き込んだ後、ステップＳ２５に進む。
【００５７】
一方、ＮＯの場合は、デジタル放送を受信できるようになったので、ステップＳ２１で、番組の録画を再開する。ステップＳ２３では、デマルチプレクサ３８によって映像パケットから録画の中断終了時刻を取り込み、取り込まれた中断終了時刻およびそのチャネル番号（エラー終了情報）をメモリ８４に書き込んだ後、ステップＳ２５に進む。
【００５８】
ステップＳ２５では、番組の放送終了時刻を経過したか否かを判断する。その結果、ＮＯの場合はステップＳ１１に戻り、ＹＥＳの場合は、ステップＳ２７で番組の録画を終了する。そして、ステップＳ２９でチューナ３４の電源をオフした後、処理を終了する。
【００５９】
次に、ＣＰＵ７８は、図９および図１０に示すフローに従って録画データの補修処理を実行する。ステップＳ３１では、再生可能な番組名がＬＣＤモニタ６０に表示される。ステップＳ３３では、所望の番組名が選択されるまで待機する。番組名が選択されると、ステップＳ３５で、選択された番組について録画データの補修が必要か否かを判断する。その結果、ＮＯの場合は後述するステップＳ４９に進み、ＹＥＳの場合は、ステップＳ３７で、録画中断時間と課金される料金を表示する。
【００６０】
ステップＳ３９では、録画データの補修を行うことが選択されたか否かを判断する。その結果、ＮＯの場合は録画データの補修を終了する。一方、ＹＥＳの場合は、ステップＳ４１で、エラー開始情報とエラー終了情報とに基づいて録画中断情報を作成し、作成された録画中断情報を録画サーバ１６ａに送信する。すなわち、補修する録画データが放送されていたチャネル番号、録画の中断開始時刻／終了時刻を録画サーバ１６ａに送信する。
【００６１】
ステップＳ４３では、録画サーバ１６ａから補修データの受信を完了するまで待機する。補修データの受信を完了すると、ステップＳ４５で、録画データを記録できなかった空白領域に補修データを埋め込むことによって録画データを補修し、ステップＳ４７で、補修された録画データをメモリカード４２に保存する。
【００６２】
ステップＳ４９では、番組を再生するか否かを判断する。その結果、ＮＯの場合は録画データの補修を終了し、ＹＥＳの場合はステップＳ５１で、補修された録画データを再生する。ステップＳ５３では、番組の再生が終了したか否かの判断を行い、ＮＯの場合はステップＳ５１に戻り、ＹＥＳの場合は処理を終了する。
【００６３】
図１１を参照して、録画サーバ１６ａの番組データ送信処理について説明する。ステップＳ６１では、携帯端末１２から録画中断情報を受信するまで待機する。録画中断情報を受信すると、ステップＳ６３では、受信された録画中断情報によって携帯端末１２が受信できなかった番組データの一部を特定し、ハードディスク１０２に格納された番組データから特定された番組データの一部を抽出する。ステップＳ６５では、抽出された番組データの一部を携帯端末１２に送信した後、ステップＳ６１に戻る。
【００６４】
次に、この発明の第２実施例について説明する。第２実施例の場合も、第１実施例の説明で使用した図３の録画サーバの構成、図４（Ａ）〜図６（Ｃ）の図解図および図９〜図１１のフロー図と同一であるため、第２実施例の説明ではそれらの図および説明を省略する。
【００６５】
図１２を参照して、第２実施例の録画データ補修システム１１０は、地上波アナログテレビ放送（以下“アナログ放送”という）を受信できる携帯端末１１２と、キャリア１１６内に設置された録画サーバ１１６ａと、番組をアナログ放送によって送信する放送局１２０内に設置されたサーバ１２０ａとを含む。放送局１２０のサーバ１２０ａは、通信回線１２２を介して番組データを録画サーバ１１６ａに送信し、録画サーバ１１６ａは送信された番組データを受信して保存する。
【００６６】
図１３を参照して、携帯端末１１２の構成について説明する。図１３において、図２に示す携帯端末１２の構成要素と同一の構成要素には同じ番号を付してその説明を省略し、携帯端末１２と異なる構成要素を中心に説明する。
【００６７】
この携帯端末１１２は、携帯端末１２と異なり、アナログ放送を受信する。ＣＰＵ７８は、放送番組録画回路１３０を起動するとともに、チャネルの選択をチューナ１３４に命令する。チューナ１３４は、アンテナ１１４によって受信されたアナログ放送の高周波信号から所望のチャネルの映像信号および音声信号を抽出し、抽出された映像信号をビデオエンコーダ１３６に、音声信号をオーディオエンコーダ１３８に与える。
【００６８】
ビデオエンコーダ１３６は、与えられた映像信号をエンコードして映像データを生成し、生成された映像データをシステムエンコーダ１４０に出力する。オーディオエンコーダ１３８は、与えられた音声信号にＡ／Ｄ変換を施してオーディオデータとし、変換されたオーディオデータをシステムエンコーダ１４０に出力する。システムエンコーダ１４０は、与えられた映像データおよび音声データを符号化して映像パケットおよびオーディオパケットにそれぞれ変換し、変換された映像パケットおよびオーディオパケットをメモリカードコントローラ４０に与える。メモリカードコントローラ４０は、与えられた映像パケットおよび音声パケットをメモリカード４２に保存する。このようにして、携帯端末１２は番組を録画する。
【００６９】
なお、アナログ放送が受信されているとき、ＣＰＵ７８は、ビデオエンコーダ１３６によって除去された水平同期信号の“ずれ”を検出し、検出された“ずれ”とメモリ８４に保存されている閾値Ｔｔｈとの大小関係を比較する。その結果、“ずれ”が閾値Ｔｔｈよりも大きいとき、アナログ放送の受信状態が悪くなり、映像の画質および音声の音質は悪いと判断される。逆に、“ずれ”が閾値Ｔｔｈよりも小さいとき、アナログ放送の受信状態が良くなり、映像の画質および音声の音質は良いと判断される。
【００７０】
したがって、前回受信された映像信号の比較結果では、“ずれ”の方が閾値Ｔｔｈよりも小さく、今回受信された映像信号の比較結果では、逆に“ずれ”の方が閾値Ｔｔｈよりも大きくなった場合、アナログ放送の受信状態が良い状態から悪い状態になったことを示しているので、録画を中断する。また、前回受信された映像信号の比較結果では、“ずれ”の方が閾値Ｔｔｈよりも大きく、今回受信された映像信号の比較結果では、逆に“ずれ”の方が閾値Ｔｔｈよりも小さくなった場合、アナログ放送の受信状態が悪い状態から良い状態になったことを示しているので、録画を再開する。
【００７１】
前回受信された映像信号の比較結果と、今回受信された映像信号の比較結果とが同じ場合、アナログ放送の受信状態は変化していない。このため、録画していた場合は録画を継続し、録画を中断していた場合は録画の中断を継続する。また、デジタル放送の場合と異なり、アナログ放送には時間情報が含まれていないので、録画の中断開始時刻／中断終了時刻は時計８０から取得される。
【００７２】
メモリカード４２に保存された映像パケットおよび音声パケットの再生、相手方との通話、メールの送受信などについては、携帯端末１２の場合と同一であるため、その説明を省略する。
【００７３】
次に、携帯端末１１２による番組の録画処理を示すフローについて説明する。図１４および図１５において、図７および図８に示すステップと同一のステップには同じ番号を付してその説明を省略し、図７および図８のステップと異なるステップを中心に説明する。
【００７４】
ステップＳ９までのステップは、図７に示されたステップＳ９までのステップと同一であるため、その説明を省略する。
【００７５】
ステップＳ７１では、ビデオエンコーダ１３６によって映像信号から除去された水平同期信号の“ずれ”と閾値Ｔｔｈとの大小関係を検出する。ステップＳ７３では、検出された“ずれ”と閾値Ｔｔｈとの大小関係が変化したか否かを判断する。その結果、ＮＯの場合は後述するステップＳ２５に進み、ＹＥＳの場合はステップＳ７５に進む。
【００７６】
ステップＳ７５では、“ずれ”が閾値Ｔｔｈよりも小さい状態から大きい状態に変化したか否かを判断する。その結果、ＹＥＳの場合は、アナログ放送の受信状態が悪くなり、映像の画質および音声の音質が悪くなったと判断して、ステップＳ７７で、番組の録画を中断する。ステップＳ７９では、時計８０によって録画の中断開始時刻を取り込み、取り込まれた中断開始時刻およびその番組のチャネル番号（エラー開始情報）をメモリ８４に保存した後、ステップＳ２５に進む。
【００７７】
一方、ＮＯの場合は、アナログ放送の受信状態が良好になり、映像の画質および音声の音質が良くなったと判断して、ステップＳ８１で、番組の録画を再開する。ステップＳ８３では、時計８０によって録画の中断終了時刻を取り込み、取り込まれた中断終了時刻およびその番組のチャネル番号（エラー終了情報）をメモリ８４に保存した後、ステップＳ２５に進む。ステップＳ２５からのステップは、図８のステップＳ２５からのステップと同一であるため、その説明を省略する。
【００７８】
以上の説明から明らかなように、携帯端末１２、１１２によって所望の番組を録画するとき、受信された番組は録画データとしてメモリカード４２に保存される。このとき、受信できなかったためメモリカード４２に保存されなかった番組データを特定し、特定された番組データの送信を録画サーバ１６ａ、１１６ａに要求する。そして、録画サーバ１６ａ、１１６ａから送信された番組データを受信すると、携帯端末１２、１１２は、メモリカード４２に保存されている録画データを、受信された番組データによって補修する。
【００７９】
このように、メモリカード４２に保存された録画データのうち、受信できなかったために録画されなかった番組データだけが録画サーバ１６ａ、１１６ａから送信されるので、補修に必要な番組データの受信時間を短縮し、課金される料金も安く抑えることができる。
このため、メモリカード４２に保存された録画データを効率的に補修することができる。
【００８０】
なお、上述の実施例では、録画が中断されたときも、録画データの記録可能な領域を空白領域としてメモリカード４２に確保していた。しかし、録画が中断されたときは、空白領域を設けずに、録画データをメモリカード４２に順次記録するようにしてもよい。この場合、メモリカード４２の容量を節約することができる。
【００８１】
また、上述の実施例では、キャリア１６、１１６に設置された録画サーバ１６ａ、１１６ａに、番組データを保存しておき、録画サーバ１６ａ、１１６ａに保存された番組データの一部を携帯端末１２、１１２に録画された録画データの補修データとして使用する。しかし、キャリア１６、１１６に設置された録画サーバ１６ａ、１１６ａの代わりに、家庭用ＤＶＤレコーダに記録された番組データに一部を補修データとして使用してもよい。
【図面の簡単な説明】
【００８２】
【図１】この発明の１実施例を示すブロック図である。
【図２】図１実施例に適用される携帯端末の構成の一例を示すブロック図である。
【図３】図１実施例に適用される録画サーバの一例を示すブロック図である。
【図４】録画データの補修を示す図解図である。
【図５】モニタの表示を示す図解図である。
【図６】モニタの他の表示を示す図解図である。
【図７】図２示す携帯端末の動作の一部を示すフロー図である。
【図８】図２に示す携帯端末の動作の他の一部を示すフロー図である。
【図９】図２に示す携帯端末の動作のその他の一部を示すフロー図である。
【図１０】図２に示す携帯端末の動作のさらにその他の一部を示すフロー図である。
【図１１】図３に示す録画サーバの動作の一部を示すフロー図である。
【図１２】この発明の他の実施例を示すブロック図である。
【図１３】図１２実施例に適用される携帯端末の構成の一例を示すブロック図である。
【図１４】図１３に示す携帯端末の動作の一部を示すフロー図である。
【図１５】図１３に示す携帯端末の動作の他の一部を示すフロー図である。
【符号の説明】
【００８３】
１０、１１０…録画データ補修システム
１２、１１２…携帯端末
１６ａ、１１６ａ…録画サーバ
３０、１３０…放送番組録画回路
３２、１３２…移動通信回路
３８…デマルチプレクサ
４２…メモリカード
７８…ＣＰＵ
８０…時計
１３６…ビデオエンコーダ
【図１】
2006352264.tif 000003
【図２】
2006352264.tif 000004
【図３】
2006352264.tif 000005
【図４】
2006352264.tif 000006
【図５】
2006352264.tif 000007
【図６】
2006352264.tif 000008
【図７】
2006352264.tif 000009
【図８】
2006352264.tif 000010
【図９】
2006352264.tif 000011
【図１０】
2006352264.tif 000012
【図１１】
2006352264.tif 000013
【図１２】
2006352264.tif 000014
【図１３】
2006352264.tif 000015
【図１４】
2006352264.tif 000016
【図１５】
2006352264.tif 000017